【手続補正書】
【提出日】平成22年8月6日(2010.8.6)
【手続補正１】
【補正対象書類名】特許請求の範囲
【補正対象項目名】全文
【補正方法】変更
【補正の内容】
【特許請求の範囲】
【請求項１】
雪スキーに固定され、スキーブーツを選択的に保持するように構成されたスキービンディングであって、前記スキーブーツは、ヒールおよびトーを有し、脛骨軸を有するスキーヤーによって着用され、前記雪スキーは、第１象限、第２象限、第３象限、第４象限、および後端部を有し、前記スキービンディングは、
前記スキーブーツの前記ヒールに解放可能に係合させるためのヒールピースと、
前記スキーブーツの前記トーに解放可能に係合させるためのトーピースとを備え、前記トーピースおよび前記ヒールピースは、
前記スキービンディングが前記雪スキーに取り付けられ、
前記スキーヤーが前記スキーブーツを着用し、
前記スキーブーツが前記スキービンディング内に正しく捕捉されるときに、前記スキーヤーの前記脛骨軸の周りで、前記スキービンディングに弱められない解放トルクをもたらし、前記スキービンディングはさらに、
前記第３象限内の１つの位置で前記雪スキーに加えられる横せん断力のみに実質的に応答して、前記脛骨軸の周りで前記スキービンディングに弱められた解放トルクをもたらす解放ロジックを備える、スキービンディング。
【請求項２】
前記スキービンディングが前記雪スキーに取り付けられ、前記スキーヤーが前記スキーブーツを着用し、前記スキーブーツが前記スキービンディング内に正しく捕捉されるときに、前記弱められた解放トルクは、前記スキーヤーの前記脛骨軸の周りに脛骨トルクを生じ、前記解放ロジックは、前記脛骨トルクが前記第３象限内の前記横せん断力の前記位置の関数として、前記脛骨軸から前記雪スキーの前記後端部に向かって低減されるように構成される、請求項１に記載のスキービンディング。
【請求項３】
前記解放ロジックは、トリガと、前記トリガに応答して、前記スキービンディングが前記雪スキーに取り付けられ、前記スキーヤーが前記スキーブーツを着用し、前記スキーブーツが前記スキービンディング内に正しく捕捉されるときに、前記スキーの前記トーを解放する２次トー解放部とを備え、前記トリガは、前記雪スキーの前記第３象限内の１つの位置で前記雪スキーに加えられる横せん断力のみに実質的に応答してトリガすることができる、請求項１に記載のスキービンディング。
【請求項４】
前記２次トー解放部は、２次トー解放機構を備え、前記２次トー解放機構は、前記スキーブーツが前記スキービンディングに正しく固定されるときに、前記雪スキーの前記第３象限内の１つの位置で前記雪スキーに加えられる横せん断力に応答して、前記スキーブーツの前記トーに弱められた解放をもたらす、請求項３に記載のスキービンディング。
【請求項５】
前記弱められた解放トルクは、前記弱められない解放トルクよりも少なくとも２０％小さい、請求項１に記載のスキービンディング。
【請求項６】
前記解放ロジックは、前記雪スキーの前記第４象限内に加えられる横せん断力に対して、前記弱められない解放トルクをもたらすように構成される、請求項１に記載のスキービンディング。
【請求項７】
前記ビンディングが前記スキーに固定され、前記スキービンディングが前記スキーヤーに固定されるときに、スキーヤーとスキーとの間で伝達される力を決定するための情報を得るための１つまたは複数のセンサと、
前記１つまたは複数のセンサと通信する電子制御装置であって、前記第３象限内に加えられる実際の荷重に応答して、第３象限の弱められた解放信号を発生するように構成される電子制御装置と、
前記トーピースもしくは前記ヒールピース、またはそれら両方に動作可能に連結され、前記第３象限の弱められた解放信号に応答する少なくとも１つのアクチュエータとをさらに備える、請求項１に記載のスキービンディング。
【請求項８】
スキーシステムを形成するようにスキーブーツをスキーに固定する装置であって、該装置は、スキービンディングアセンブリを備え、
前記スキービンディングアセンブリは、前記スキーに取り付けられて、使用中に前記スキーブーツを前記スキーに開放可能に固定するように構成され、前記スキービンディングアセンブリは、第１の開放部を含み、前記スキービンディングアセンブリは、開放ロジックを含み、前記開放ロジックは、開放状態に応答して前記スキービンディングアセンブリに前記第１の開放部で前記スキーブーツを開放させ、
前記スキービンディングアセンブリは、第１の軸に関して、前記スキーシステムに加えられる外部荷重によって起こされる前記スキーシステム内部の第１の荷重を評価し、かつ、前記第１の軸から離隔しかつ前記第１の軸と実質的に平行な第２の軸に関して、前記外部荷重によって起こされる前記スキーシステム内部の第２の荷重を評価するように構成され、
前記開放ロジックは、前記開放状態が前記第１の荷重及び前記第２の荷重の両方の関数として生じたかどうかを決定するとともに、前記開放ロジックが前記開放状態が生じていると決定したならば、前記スキービンディングアセンブリに前記第１の開放部をもたらすように構成され、
前記スキービンディングアセンブリは、前記第１の荷重及び前記第２の荷重から第３の軸における偶力を決定するように構成され、前記開放ロジックは、前記開放状態が前記偶力の関数として生じたかどうかを決定するように構成される、
装置。
【請求項９】
スキーシステムを形成するようにスキーブーツをスキーに固定する装置であって、該装置は、スキービンディングアセンブリを備え、
前記スキービンディングアセンブリは、前記スキーに取り付けられて、使用中に前記スキーブーツを前記スキーに開放可能に固定するように構成され、前記スキービンディングアセンブリは、第１の開放部を含み、前記スキービンディングアセンブリは、開放ロジックを含み、前記開放ロジックは、開放状態に応答して前記スキービンディングアセンブリに前記第１の開放部で前記スキーブーツを開放させ、
前記スキービンディングアセンブリは、第１の軸に関して、前記スキーシステムに加えられる外部荷重によって起こされる前記スキーシステム内部の第１の荷重を評価し、かつ、前記第１の軸から離隔しかつ前記第１の軸と実質的に平行な第２の軸に関して、前記外部荷重によって起こされる前記スキーシステム内部の第２の荷重を評価するように構成され、
前記開放ロジックは、前記開放状態が前記第１の荷重及び前記第２の荷重の両方の関数として生じたかどうかを決定するとともに、前記開放ロジックが前記開放状態が生じていると決定したならば、前記スキービンディングアセンブリに前記第１の開放部をもたせるように構成され、
前記スキービンディングアセンブリは、第２の開放部を有し、前記第１の開放部は、前記第２の開放部に関して弱められた開放部である、
装置。
【請求項１０】
スキーシステムを形成するようにスキーブーツをスキーに固定する装置であって、該装置は、スキービンディングアセンブリを備え、
前記スキービンディングアセンブリは、前記スキーに取り付けられて、使用中に前記スキーブーツを前記スキーに開放可能に固定するように構成され、前記スキービンディングアセンブリは、第１の開放部を含み、前記スキービンディングアセンブリは、開放ロジックを含み、前記開放ロジックは、前記スキービンディングアセンブリに前記第１の開放部で前記スキーブーツを開放させ、
前記スキーシステムに加えられる外部荷重によって起こされ、かつ第１の軸に沿った又はその周りの前記スキーシステム内部の第１の荷重が第１の規定されたレベルを超えて、第１の規定された感知を有し、かつ前記外部荷重によって起こされ、かつ第２の軸に沿った又はその周りの前記スキーシステム内部の第２の荷重が第２の規定されたレベルを超えて、第２の規定された感知を有する時にのみ実質的に、前記開放ロジックは、前記第１の開放部を作動するように設定され、
前記スキービンディングアセンブリは、第２の開放部を有し、前記第１の開放部は、前記第２の開放部に関して弱められた開放部である、
装置。